(57)【要約】【課題】従来のＤＣブラシレスモータの構成では、負荷側ブラケットと反負荷側ブラケットをモータの側面に貼付けされた導電部材により接続されており、導電部材と導電部材貼付け作業が必要となりコストＵＰとなるという課題を有していた。【解決手段】ベアリング７，９及び回転軸を介して回転自由に保持されたロータ５と、前記ベアリングを保持する負荷側及び反負荷側ブラケット８，１０と、コイル３部分をモールド樹脂４により成形されたステータ１と、負荷側ブラケット、反負荷側ブラケットに導電性の材料を混入した防振ゴム１１，１２を取付け、導電性の材料により構成された固定カバーにより前記モータを固定することにより、導電性の材料を混入した防振ゴムと導電性の材料により構成された固定カバー１３にて負荷側ブラケット及び反負荷側ブラケットを接続することにより、安価な構成により同等の効果が得られる。【選択図】図１
2011114922.tif 000002
【特許請求の範囲】
【請求項１】
ベアリング及び回転軸を介して回転自由に保持されたロータと、前記ベアリングを保持する負荷側及び反負荷側ブラケットと、コイル部分をモールド樹脂により成形されたステータと、前記負荷側ブラケット及び反負荷側ブラケットに取付けた導電性の材料を混入した防振ゴムから成るモータを、導電性の材料により構成された固定カバーにより固定することにより、前記防振ゴムと前記固定カバーにより前記負荷側ブラケット及び反負荷側ブラケットを接続したことを特徴とするＤＣブラシレスモータ。
【請求項２】
前記防振ゴムをカーボン含有の材料、前記固定カバーを金属で構成したことを特徴とする請求項１記載のＤＣブラシレスモータ。
【請求項３】
前記モータが高圧ＰＷＭ方式であることを特徴とする請求項１記載のＤＣブラシレスモータ。
【請求項４】
請求項１〜３のいずれか１項に記載のＤＣブラシレスモータを用いた空気調和機。
【発明の詳細な説明】
【技術分野】
【０００１】
本発明は、ＤＣブラシレスモ−タの電食防止構造に関するものである。
【背景技術】
【０００２】
従来のこの種のＤＣブラシレスモータは、図２に示すように、ステ−タ１０１を一体モ−ルド成形されたステ−タ完成体に、磁石１０２、シャフト１０３、ベアリングＡ１０４、ベアリングＢ１０５からなるロ−タ完成体を有する。負荷側のベアリングＡ１０４は、負荷側ブラケットＡ１０６に支持されステ−タ完成体に固定されている。反負荷側のベアリングＢ１０５は、反負荷側ブラケットＢ１０７に支持され、ステータ完成体に固定されて一体化されている。負荷側ブラケットＡ１０６と反負荷側ブラケットＢ１０７が導電部材によって接続されている。
【先行技術文献】
【特許文献】
【０００３】
【特許文献１】特開２００７−２０３４８号公報
【発明の概要】
【発明が解決しようとする課題】
【０００４】
しかしながら上記のような構成では、負荷側ブラケット１０６と反負荷側ブラケット１０７をモータの側面に貼付けされた導電部材により接続されており、導電部材と導電部材貼付け作業が必要となりコストＵＰとなる。
【０００５】
本発明は、前記従来の課題を解決するもので、負荷側ブラケット、反負荷側ブラケットに導電性の材料を混入した防振ゴムを取付け、導電性の材料により構成された固定カバーにより前記モータを固定することにより、導電性の材料を混入した防振ゴムと導電性の材料により構成された固定カバーにて負荷側ブラケット及び反負荷側ブラケットを接続することにより安価な構成により同等の効果が得られ、高圧ＰＷＭ方式による駆動方式でも電食が発生しないモータ及び電食防止構造を提供することを目的とする。
【課題を解決するための手段】
【０００６】
前記従来の課題を解決するために、本発明のＤＣブラシレスモ−タは、ベアリング及び回転軸を介して回転自由に保持されたロータと、前記ベアリングを保持する負荷側及び反負荷側ブラケットと、コイル部分をモールド樹脂により成形されたステータと、負荷側ブラケット、反負荷側ブラケットに導電性の材料を混入した防振ゴムを取付け、導電性の材料により構成された固定カバーにより前記モータを固定することにより、導電性の材料を混入した防振ゴムと導電性の材料により構成された固定カバーにて負荷側ブラケット及び反負荷側ブラケットを接続することにより安価な構成により同等の効果が得られ、高圧ＰＷＭ方式による駆動方式でも電食が発生しないモータ及び電食防止構造を提供することができる。
【発明の効果】
【０００７】
本発明のＤＣブラシレスモータは、負荷側ブラケット、反負荷側ブラケットに導電性の材料を混入した防振ゴムを取付け、導電性の材料により構成された固定カバーにより
前記モータを固定することにより、導電性の材料を混入した防振ゴムと導電性の材料により構成された固定カバーにて負荷側ブラケット及び反負荷側ブラケットを接続することにより安価な構成により同等の効果が得られ、高圧ＰＷＭ方式による駆動方式でも電食が発生しなくなる。
【図面の簡単な説明】
【０００８】
【図１】本発明の実施の形態１におけるモ−タの部分断面図
【図２】従来のＤＣブラシレスモータの断面図
【発明を実施するための形態】
【０００９】
第１の発明は、ベアリング及び回転軸を介して回転自由に保持されたロータと、前記ベアリングを保持する負荷側及び反負荷側ブラケットと、コイル部分をモールド樹脂により成形されたステータと、前記負荷側ブラケット及び反負荷側ブラケットに取付けた導電性の材料を混入した防振ゴムから成るモータを、導電性の材料により構成された固定カバーにより固定することにより、導電性の材料を混入した防振ゴムと導電性の材料により構成された固定カバーにて負荷側ブラケット及び反負荷側ブラケットを接続することにより安価な構成により同等の効果が得られる。
【００１０】
第２の発明は、防振ゴムをカーボン含有の材料及び固定カバーを金属で構成することにより安価な構成で接続することが出来る。
【００１１】
第３の発明は、前記モータが高圧ＰＷＭ方式のＤＣブラシレスモータであればより効果を発揮することが出来る。
【００１２】
第４の発明は、上記１〜３の発明のモータを空気調和機に使用されるのが好ましい。近年、空気調和機のモータは高効率化により高圧ＰＷＭ方式が主流であり、上記１〜３の発明のモータを採用することにより、より効果が発揮できる。
【００１３】
以下、本発明の実施の形態について、図面を参照しながら説明する。なお、この実施の形態によって本発明が限定されるものではない。
【００１４】
（実施の形態１）
図１に本実施の形態のモータの一部断面図を示す。
【００１５】
本実施の形態のモータは、鋼板を積層したステータ１に絶縁樹脂２を施すことにより絶縁層を形成し、この絶縁層にコイル３が巻回されている。前記ステータ完成体と負荷側金属製ブラケット８はモールド樹脂４により一体成型されている。
形成されたステータ完成体の内周側にはロータ５が収納されている。このロータ５には金属製回転軸６が貫通され、ロータ５の負荷側ベアリング７を介して負荷側金属製ブラケット８に回転自在に固定されている。ロータ５の反負荷側の金属製回転軸６は、反負荷側ベアリング９を介して反負荷側金属製ブラケット１０に取付けられている。上記反負荷側金属製ブラケット１０は上記ステータ完成体に取付けられている。
【００１６】
負荷側金属製ブラケット８と反負荷側金属製ブラケット１０には、カーボン性の材料を混入した防振ゴムＡ１１、防振ゴムＢ１２が取付けられ、金属製固定カバー１３によりカーボン性の材料を混入した防振ゴムＡ１１、防振ゴムＢ１２を固定する。
このように、負荷側金属製ブラケット８と反負荷側金属製ブラケット１０をカーボン性の材料を混入した防振ゴムＡ１１、防振ゴムＢ１２と金属製固定カバー１３により接続することにより負荷側金属製ブラケット８と反負荷側金属製ブラケット１０が同電位となり循環電流が流れなくなり電食現象は発生しない。
【００１７】
（実施の形態２）
上記実施の形態１のモータは、高圧ＰＷＭ方式のＤＣブラシレスモータであればより効果を発揮することが出来る。近年、高圧ＰＷＭ方式により高効率化を実現するために高周
波で制御する場合は、負荷側と反負荷側に電位差が生じて循環電流が流れ電食現象となる。
【００１８】
負荷側のブラケットとステータ及び反負荷側のブラケットを接続することにより同電位となり循環電流が流れなくなり電食現象は発生しない。
【００１９】
（実施の形態３）
上記実施の形態１のモータは、空気調和機用ファンモータとして使用されるのが好ましい。近年、空気調和機の高性能化が進みモ−タの高出力化が要求され高圧ＰＷＭ方式を用いる。従って、上記実施の形態１のモータを空気調和機用のファンモータ及び電食防止構造として使用すると本発明の効果がより顕著に発現する。
【産業上の利用可能性】
【００２０】
以上のように、本発明にかかるモータ及び電食防止構造は、負荷側ブラケット、反負荷側ブラケットに導電性の材料を混入した防振ゴムを取付け、導電性の材料により構成された固定カバーにより前記モータを固定することにより、導電性の材料を混入した防振ゴムと導電性の材料により構成された固定カバーにて負荷側ブラケット及び反負荷側ブラケットを接続することにより同電位となる。この構成により循環電流が流れなくなり電食現象は発生しないので、高効率を必要とした空気調和機のモ−タの用途に適する。
【符号の説明】
【００２１】
１  ステータ
２  絶縁樹脂
３  コイル
４  モールド樹脂
５  ロータ
６  金属製回転軸
７  負荷側ベアリング
８  負荷側金属製ブラケット
９  反負荷側ベアリング
１０  反負荷側金属製ブラケット
１１  防振ゴムＡ
１２  防振ゴムＢ
１３  金属製固定カバー
【図１】
2011114922.tif 000003
【図２】
2011114922.tif 000004